(57)【要約】【課題】  他の装置の動作による悪影響を受けたり、他の装置の動作に対して悪影響を与えたりすることを防止するとともに、周波数変換の態様に対応した変更を要することなく、後段における信号処理を行うことを可能とする。【解決手段】  第１周波数帯の信号ＩＮＳを周波数変換して、第２周波数帯の信号ＯＴＳを生成するのに際して、第１及び第２段階変換部１１０，１２０による２段階の周波数変換を行う。かかる２段階周波数変換に際して、信号ＩＮＳと信号ＯＴＳとの極性関係が一定関係に維持されるとともに、周辺の装置で利用する信号による悪影響を受けたり、かつ、周辺の装置の動作に対して悪影響を与えたりしないように、第１及び第２段階変換部１１０，１２０内で利用する第１及び第２局部発振信号の周波数を決定する。【選択図】  図２
2010147972.tif 000002
【特許請求の範囲】
【請求項１】
第１周波数帯の第１信号を、前記第１周波数帯とは異なる第２周波数帯の第２信号に変換する周波数変換装置であって、
入力信号における前記第１周波数帯の信号を選択的に通過させ、前記第１周波数帯の第１信号を抽出する第１フィルタリング手段と；
前記第１信号を前記第１及び第２周波数帯とは異なる第３周波数帯の信号へ周波数変換するために利用される第１段階変換周波数の第１段階変換用信号を、第１段階変換周波数指定に従って生成する第１可変周波数信号発生手段と；
前記第１信号と前記第１段階変換用信号との乗算を行う第１乗算手段と；
前記第１乗算手段による乗算結果における前記第３周波数帯の信号を選択的に通過させ、前記第３周波数帯の第３信号を抽出する第２フィルタリング手段と；
前記抽出された第３信号を前記第２周波数帯の信号へ周波数変換するために利用される第２段階変換周波数の第２段階変換用信号を、第２段階変換周波数指定に従って生成する第２可変周波数信号発生手段と；
前記抽出された第３信号と前記第２段階変換用信号との乗算を行う第２乗算手段と；
前記第２乗算手段による乗算結果における前記第２周波数帯の信号を選択的に通過させ、前記第２信号を抽出する第３フィルタリング手段と；
前記第１信号と前記第２信号との極性関係を一定関係に維持可能であるとともに、少なくとも１つの他の装置の動作との関係が考慮された前記第１及び第２段階変換周波数指定を、前記第１及び第２可変周波数信号発生手段に対して行う制御手段と；
を備えることを特徴とする周波数変換装置。
【請求項２】
前記第２フィルタリング手段は、通過帯域指定に従って通過帯域が変化する可変通過帯域フィルタリング手段であり、
前記制御手段は、前記第１周波数帯及び前記第１段階変換周波数に対応して定まる通過帯域を、前記第２フィルタリング手段に対して指定する、
ことを特徴とする請求項１に記載の周波数変換装置。
【請求項３】
前記他の装置の動作で利用される信号の周波数情報を記憶する記憶手段を更に備え、
前記制御手段は、前記記憶手段における記憶内容を考慮して、前記第１及び第２段階変換周波数を決定する、
ことを特徴とする請求項１又は２に記載の周波数変換装置。
【請求項４】
前記他の装置のそれぞれについて、動作中であるか否かの動作中情報を取得する取得手段を更に備え、
前記制御手段は、前記他の装置のうちで動作中の装置に対応する前記記憶手段における記憶内容を更に考慮して、前記第１及び第２段階変換周波数を決定する、
ことを特徴とする請求項３に記載の周波数変換装置。
【請求項５】
入力信号における第１周波数帯の信号を選択的に通過させることにより抽出された前記第１周波数帯の第１信号に対して、第１段階変換周波数の第１段階変換用信号を利用して第１段階周波数変換を施すとともに、前記第１段階周波数変換が施された信号に対して、第２段階変換周波数の第２段階変換用信号を利用して第２段階周波数変換を施して第２周波数帯の第２信号を生成する周波数変換装置において使用される周波数変換制御方法において、
前記第１信号と前記第２信号との極性関係を一定関係に維持可能であるとともに、少なくとも１つの他の装置の動作との関係が考慮された前記第１及び第２段階変換周波数の指定を行う、
ことを特徴とする周波数変換制御方法。
【請求項６】
請求項５に記載の周波数変換制御方法を演算手段に実行させる、ことを特徴とする周波数変換制御プログラム。
【請求項７】
請求項６に記載の周波数変換制御プログラムが、演算手段により読み取り可能に記録されている、ことを特徴とする記録媒体。
【発明の詳細な説明】
【技術分野】
【０００１】
本発明は、周波数変換装置、周波数変換制御方法及び周波数変換制御プログラム、並びに当該周波数変換制御プログラムが記録された記録媒体に関する。
【背景技術】
【０００２】
従来から、音声等の信号を信号成分として含む放送信号を受信して、音声等を再生出力する受信装置や、音声等の信号を信号成分として含む放送信号を生成して発信する発信装置等において、信号の周波数変換を行う周波数変換装置が広く利用されている。こうした周波数変換装置では、第１周波数帯の入力信号を第２周波数帯の信号に周波数変換するに際し、当該周波数変換装置の内部で第１周波数帯と第２周波数帯との周波数差に対応して発生した局部発振信号と、入力信号とを混合（乗算）することが一般的に行われている。
【０００３】
かかる周波数変換装置の近くには、他の信号処理装置が配置されることがある。例えば、２チューナ構成の受信装置では、周波数変換装置を備えるチューナ同士が、互いに近接して配置されることが多い。こうした２チューナ構成の受信装置においては、それぞれのチューナにおいて独立に局部発振周波数が設定可能となっているため、一方のチューナにおける局部発振信号又はその高調波が、他方のチューナによる選局動作に悪影響を与えることがある。
【０００４】
上記のようなチューナ同士の相互干渉を低減するための技術が提案されている（特許文献１参照：以下、「従来例１」と呼ぶ）。この従来例１の技術では、受信周波数と局部発振周波数とが同一又は非常に近い周波数関係にある、ダイレクトコンバージョン方式の２つのチューナのそれぞれにおける局部発振周波数を監視する。そして、２つの局部発振周波数が所定関係にある場合に、ＰＬＬ（Phase-Locked Loop）回路の可変分周器への分周比制御データを変更制御するようになっている。
【０００５】
また、チューナ同士の相互干渉を低減するための技術ではないが、１つのチューナにおける周波数変換を２段階で行うようにした場合における第２段階周波数変換に利用する局部発振信号又はその高調波が、第１段階周波数変換の結果に悪影響を与えないように、第１及び第２周波数変換で利用する局部発振周波数を選択する技術が提案されている（特許文献２参照：以下、「従来例２」と呼ぶ）。この従来例２の技術では、第１及び第２段階周波数変換による周波数変換結果のそれぞれが、固定的な周波数帯とされることから、第１周波数変換で利用する局部発振周波数が２種類の周波数のうちから選択されるとともに、第２周波数変換で利用する局部発振周波数も、他の２種類の周波数のうちから選択される。また、第２周波数変換の結果として得られる信号と入力信号との極性関係を一定とするため、２つの局部発振周波数の組み合わせに対応して、第２周波数変換の結果として得られる信号の極性を反転したり、しなかったりする制御を行うようになっている。
【０００６】
【特許文献１】特開２００２−３５９５７４号公報
【特許文献２】特開平７−４６１５０号公報
【発明の開示】
【発明が解決しようとする課題】
【０００７】
上述した従来例１の技術では、１段階の周波数変換により、局部発振周波数が変化すると、周波数変換の周波数帯がずれてしまう。このため、周波数変換後の信号処理を、局部発振周波数の値ごとに、変更することが必要であった。
【０００８】
また、従来例２の技術では、利用できる局部発振周波数の種類が少ないため、１つのチューナの内部干渉は避けることができたとしても、例えば当該チューナの近くに他のチューナが配置されているときには、他のチューナとの間における相互干渉を防止できない場合がある。
【０００９】
このため、他の装置との間における相互干渉を防止することができる周波数変換を実現できる技術が望まれている。かかる要請に応えることが、本発明が解決すべき課題の一つとして挙げられる。
【００１０】
本発明は、上記の事情を鑑みてなされたものであり、他の装置の動作による悪影響を受けたり、他の装置の動作に対して悪影響を与えたりすることを防止することができる新たな周波数変換装置及び周波数変換制御方法を提供することを目的とする。
【課題を解決するための手段】
【００１１】
請求項１に記載の発明は、第１周波数帯の第１信号を、前記第１周波数帯とは異なる第２周波数帯の第２信号に変換する周波数変換装置であって、入力信号における前記第１周波数帯の信号を選択的に通過させ、前記第１周波数帯の第１信号を抽出する第１フィルタリング手段と；前記第１信号を前記第１及び第２周波数帯とは異なる第３周波数帯の信号へ周波数変換するために利用される第１段階変換周波数の第１段階変換用信号を、第１段階変換周波数指定に従って生成する第１可変周波数信号発生手段と；前記第１信号と前記第１段階変換用信号との乗算を行う第１乗算手段と；前記第１乗算手段による乗算結果における前記第３周波数帯の信号を選択的に通過させ、前記第３周波数帯の第３信号を抽出する第２フィルタリング手段と；前記抽出された第３信号を前記第２周波数帯の信号へ周波数変換するために利用される第２段階変換周波数の第２段階変換用信号を、第２段階変換周波数指定に従って生成する第２可変周波数信号発生手段と；前記抽出された第３信号と前記第２段階変換用信号との乗算を行う第２乗算手段と；前記第２乗算手段による乗算結果における前記第２周波数帯の信号を選択的に通過させ、前記第２信号を抽出する第３フィルタリング手段と；前記第１信号と前記第２信号との極性関係を一定関係に維持可能であるとともに、少なくとも１つの他の装置の動作との関係が考慮された前記第１及び第２段階変換周波数指定を、前記第１及び第２可変周波数信号発生手段に対して行う制御手段と；を備えることを特徴とする周波数変換装置である。
【００１２】
請求項５に記載の発明は、入力信号における第１周波数帯の信号を選択的に通過させることにより抽出された前記第１周波数帯の第１信号に対して、第１段階変換周波数の第１段階変換用信号を利用して第１段階周波数変換を施すとともに、前記第１段階周波数変換が施された信号に対して、第２段階変換周波数の第２段階変換用信号を利用して第２段階周波数変換を施して第２周波数帯の第２信号を生成する周波数変換装置において使用される周波数変換制御方法において、前記第１信号と前記第２信号との極性関係を一定関係に維持可能であるとともに、少なくとも１つの他の装置の動作との関係が考慮された前記第１及び第２段階変換周波数の指定を行う、ことを特徴とする周波数変換制御方法である。
【００１３】
請求項６に記載の発明は、請求項５に記載の周波数変換制御方法を演算手段に実行させる、ことを特徴とする周波数変換制御プログラムである。
【００１４】
請求項７に記載の発明は、請求項６に記載の周波数変換制御プログラムが、演算手段により読み取り可能に記録されている、ことを特徴とする記録媒体である。
【発明を実施するための最良の形態】
【００１５】
以下、本発明の一実施形態を、図１〜図６を参照して説明する。なお、以下の説明及び図面においては、同一又は同等の要素には同一符号を付し、重複する説明を省略する。
【００１６】
図１には、一実施形態に係る周波数変換装置１００と接続される周辺装置が示されている。図１に示されるように、周波数変換装置１００には、信号源８１０と、後段処理装置８２０とが接続されている。また、周波数変換装置１００には、装置９１０1，９１０2，…，９１０Mと、装置９２０1，９２０2，…，９２０Nとが接続されている。
【００１７】
上記の信号源８１０は、信号ＩＮＳを生成して、周波数変換装置１００に供給する。例えば、周波数変換装置１００が、放送受信装置におけるチューナ（以下、単に「チューナ」ともいう）内に配置される場合には、信号源８１０は、アンテナ、高周波増幅器、高周波フィルタ等を備えて構成される。
【００１８】
上記の後段処理装置８２０は、周波数変換装置１００による信号ＩＮＳの周波数変換結果である信号ＯＴＳに対して、所定の信号処理を施す。例えば、周波数変換装置１００が、チューナ内に配置される場合には、後段処理装置８２０は、検波部等を備えて構成される。
【００１９】
上記の装置９１０j（ｊ＝１〜Ｍ）は、周波数変換装置１００による周波数変換動作に対して悪影響を与える可能性のある装置である。装置９１０jは、動作中であるか否かを示す動作状態情報ＡＴ１jを、周波数変換装置１００に報告するようになっている。
【００２０】
上記の装置９２０k（ｋ＝１〜Ｎ）は、周波数変換装置１００による周波数変換動作において発生する局部発振周波数の信号又はその高調波により悪影響を受ける可能性がある装置である。装置９２０kは、動作中であるか否かを示す動作状態情報ＡＴ２kを、周波数変換装置１００に報告するようになっている。
【００２１】
なお、図１においては、装置９１０j（ｊ＝１〜Ｍ）と装置９２０k（ｋ＝１〜Ｎ）とは互いに異なる装置である場合が示されているが、装置９１０j（ｊ＝１〜Ｍ）の一部又は全部と、装置９２０k（ｋ＝１〜Ｎ）の一部又は全部が一致している場合もある。
【００２２】
図２には、一実施形態に係る周波数変換装置１００の概略的な構成が示されている。図２に示されるように、周波数変換装置１００は、第１段階変換部１１０と、第２段階変換部１２０とを備えている。また、周波数変換装置１００は、記憶手段としての記憶部１８０と、制御手段及び取得手段としての制御部１９０とを備えている。
【００２３】
上記の第１段階変換部１１０は、信号源８１０からの第１周波数帯（中心周波数Ｆ１，帯域幅ΔＦ）の信号成分を含む信号ＩＮＳを受ける。そして、第１段階変換部１１０は、制御部１９０からの第１段階変換周波数指定ＦＣ１及びフィルタ制御指定ＦＬＣに従って、信号ＩＮＳの周波数変換を行って、第３周波数帯の信号ＭＦＳを生成する。
【００２４】
かかる機能を有する第１段階変換部１１０は、図３に示されるように、第１フィルタリング手段としてのフィルタ部１１１と、増幅部１１２とを備えている。また、第１段階変換部１１０は、第１乗算手段としての乗算部１１３と、第２フィルタリング手段としてのフィルタ部１１４とを備えている。さらに、第１段階変換部１１０は、第１可変周波数信号発生手段としての局部発振部（ＯＳＣ）１１５を備えている。
【００２５】
上記のフィルタ部１１１は、信号源８１０からの信号ＩＮＳを受ける。そして、フィルタ部１１１は、第１周波数帯の信号成分を含む信号を選択的に通過させる。フィルタ部１１１を通過した信号は、増幅部１１２へ送られる。
【００２６】
なお、フィルタ部１１１は、イメージ周波数成分を遮断するバンドパスフィルタとして構成される。
【００２７】
上記の増幅部１１２は、フィルタ部１１１からの信号を受ける。そして、増幅部１１２は、受信した信号を増幅する。増幅部１１２による増幅結果は、乗算部１１３へ送られる。
【００２８】
なお、周波数変換装置１００が受信装置のチューナ内に配置される場合には、増幅部１１２は、高周波増幅器を備えて構成される。
【００２９】
上記の乗算部１１３は、増幅部１１２からの信号と、局部発振部１１５からの第１局部発振信号（周波数ＦＤ１）とを受ける。そして、乗算部１１３は、両信号を乗算する。乗算部１１３による乗算結果は、フィルタ部１１４へ送られる。ここで、乗算部１１３で生成される信号には、当該両信号の和周波成分と差周波成分とが含まれている。
【００３０】
上記のフィルタ部１１４は、通過させる信号の周波数帯が、制御部１９０からのフィルタ制御指定ＦＬＣに従って変化するバンドパスフィルタとして構成されている。このフィルタ部１１４は、乗算部１１３からの信号を受ける。そして、フィルタ部１１４は、受信した信号におけるフィルタ制御指定ＦＬＣにより指定された帯域の信号成分を、選択的に通過させる。フィルタ部１１４を通過した信号は、信号ＭＦＳとして、第２段階変換部１２０へ送られる。
【００３１】
なお、フィルタ部１１４は、乗算部１１３からの信号における差周波成分を選択的に通過させるように、制御部１９０により、フィルタ制御が行われるようになっている。
【００３２】
上記の局部発振部１１５は、例えば、電圧制御等により発振周波数の制御が可能な発振器等を備えて構成される。この局部発振部１１５は、制御部１９０からの第１段階変換周波数指定ＦＣ１に従って、第１周波数ＦＤ１の第１局部発振信号を生成する。局部発振部１１５により生成された第１局部発振信号は、乗算部１１３へ送られる。
【００３３】
なお、信号ＭＦＳの周波数帯である第３周波数帯（中心周波数Ｆ３，帯域幅ΔＦ）は、制御部１９０からの第１段階変換周波数指定ＦＣ１に従って、変化するようになっている。
【００３４】
図２に戻り、上記の第２段階変換部１２０は、第１段階変換部１１０からの信号ＭＦＳを受ける。そして、第２段階変換部１２０は、制御部１９０からの第２段階変換周波数指定ＦＣ２に従って、信号ＭＦＳの周波数変換を行って、第２周波数帯の信号ＯＴＳを生成する。
【００３５】
かかる機能を有する第２段階変換部１２０は、図４に示されるように、増幅部１２２を備えている。また、第２段階変換部１２０は、第２乗算手段としての乗算部１２３と、第３フィルタリング手段としてのフィルタ部１２４とを備えている。さらに、第２段階変換部１２０は、第２可変周波数信号発生手段としての局部発振部（ＯＳＣ）１２５を備えている。
【００３６】
上記の増幅部１２２は、第１段階変換部１１０からの信号ＭＦＳを受ける。そして、増幅部１２２は、受信した信号を増幅する。増幅部１２２による増幅結果は、乗算部１２３へ送られる。
【００３７】
上記の乗算部１２３は、増幅部１２２からの信号と、局部発振部１２５からの第２局部発振信号（周波数ＦＤ２）とを受ける。そして、乗算部１２３は、両信号を乗算する。乗算部１２３による乗算結果は、フィルタ部１２４へ送られる。ここで、乗算部１２３で生成される信号には、当該両信号の和周波成分と差周波成分とが含まれている。
【００３８】
上記のフィルタ部１２４は、乗算部１２３からの信号を受ける。そして、フィルタ部１２４は、受信した信号における第２周波数帯の信号成分を選択的に通過させる。フィルタ部１２４を通過した信号は、信号ＯＴＳとして、後段処理装置８２０へ送られる。
【００３９】
なお、フィルタ部１２４は、乗算部１２３からの信号における差周波成分を選択的に通過させるようになっている。
【００４０】
上記の局部発振部１２５は、上述した局部発振部１１５と同様に、例えば、電圧制御等により発振周波数の制御が可能な発振器等を備えて構成される。この局部発振部１２５は、制御部１９０から供給された第２段階変換周波数指定ＦＣ２に従って、周波数ＦＤ２の第２局部発振信号を生成する。局部発振部１２５により生成された第２局部発振信号は、乗算部１２３へ送られる。
【００４１】
なお、信号ＯＴＳの周波数帯である第２周波数帯は、周波数変換装置１００の装置仕様として予め定められた固定的な周波数帯となっている。
【００４２】
図２に戻り、上記の記憶部１８０には、周波数テーブルＦＴＢを含め、制御部１９０が利用する様々なデータが記憶されている。この記憶部１８０には、制御部１９０がアクセスすることが可能となっている。
【００４３】
上記の周波数テーブルＦＴＢには、図５に示されるように、装置９１０j（ｊ＝１〜Ｍ）のそれぞれに関連付けられて、装置９１０jで利用され、かつ、周波数変換装置１００の動作に悪影響を与える可能性のある周波数の情報である利用周波数情報ＦＲ１jが登録されている。本実施形態では、利用周波数情報ＦＲ１jとして、装置９１０jにおいて発生するクロック信号の周波数が登録される。
【００４４】
また、周波数テーブルＦＴＢには、装置９２０k（ｋ＝１〜Ｎ）のそれぞれに関連付けられて、装置９２０kで利用され、周波数変換装置１００の動作により悪影響を受ける可能性のある周波数帯の情報である利用周波数情報ＦＲ２kが登録されている。本実施形態では、利用周波数情報ＦＲ２kとして、上述した局部発振部１１５又は１２５が生成する周波数ＦＤ１又はＦＤ２の局部発振信号により、悪影響を受ける可能性のある周波数帯の情報が登録されている。
【００４５】
なお、本実施形態では、周波数テーブルＦＴＢの内容は、不図示の操作入力部を利用者が操作して、登録や更新ができるようになっている。
【００４６】
図２に戻り、制御部１９０は、周波数変換装置１００の全体を統括制御する。この制御部１９０は、装置９１０jからの動作状態情報ＡＴ１j及び装置９２０kからの動作状態情報ＡＴ２kを取得する。そして、制御部１９０は、動作状態情報ＡＴ１j，ＡＴ２kの取得結果、記憶部１８０内の周波数テーブルＦＴＢにおける登録内容、及び、第１周波数帯の情報に基づいて、第１段階変換周波数指定ＦＣ１及びフィルタ制御指定ＦＬＣを生成し、生成結果を第１段階変換部１１０へ送るとともに、第２段階変換周波数指定ＦＣ２を算出して、第２段階変換部１２０へ送る。こうした第１及び第２段階変換周波数指定ＦＣ１，ＦＣ２、並びにフィルタ制御指定ＦＬＣの算出処理については、後述する。
【００４７】
なお、周波数変換装置１００が受信装置のチューナ内に配置される場合には、不図示の操作入力部から報告された利用者による選局指令等に基づいて、制御部１９０は、第１周波数帯の情報（より詳しくは、第１周波数帯の中心周波数）を特定するようになっている。
【００４８】
［動作］
次に、上記のように構成された周波数変換装置１００の動作について、制御部１９０による周波数変換の制御処理に主に着目して説明する。
【００４９】
前提として、入力信号である信号ＩＮＳの周波数帯である第１周波数帯（中心周波数Ｆ１，帯域幅ΔＦ）は、制御部１９０により特定されているものとする。
【００５０】
第１及び第２段階変換周波数指定ＦＣ１，ＦＣ２、並びにフィルタ制御指定ＦＬＣの生成処理に際して、制御部１９０は、図６に示されるように、まず、ステップＳ１１において、装置９１０jからの動作状態情報ＡＴ１j及び装置９２０kからの動作状態情報ＡＴ２kを取得する。
【００５１】
次に、ステップＳ１２において、制御部１９０は、第１及び第２段階変換周波数指定ＦＣ１，ＦＣ２、並びにフィルタ制御指定ＦＬＣを算出する。かかる算出に際して、制御部１９０は、まず、取得された動作状態情報ＡＴ１jに基づいて、装置９１０j（ｊ＝１〜Ｍ）の中から動作中の装置を特定する。こうして特定された装置を、以下、「装置９１０m」と呼ぶものとする。引き続き、制御部１９０は、装置９１０mに対応する利用周波数情報ＦＲ１mを読み出す。
【００５２】
次に、制御部１９０は、利用周波数情報ＦＲ１mで示されている周波数又はその整数倍の周波数が、第１段階変換部１１０による変換結果の信号ＭＦＳの周波数帯である第３周波数帯に含まれないという第１条件を満たす第１局部発振信号の周波数ＦＤ１の範囲を求める。引き続き、第１条件を満たす第１局部発振信号の周波数ＦＤ１のうちで、第１及び第２周波数帯の中心周波数Ｆ１，Ｆ２、並びに周波数ＦＤ１に基づいて、次の（１）式と（２）式又は（３）式との連立方程式により定まる第２局部発振信号の周波数ＦＤ２が、当該第３周波数帯（中心周波数帯Ｆ３）に含まれないという第２条件を満たすように、周波数ＦＤ１の範囲を絞り込む。
Ｆ３＝｜Ｆ１−ＦＤ１｜                  …（１）
ＦＤ２＝Ｆ３＋Ｆ２  （ＦＤ２＞Ｆ３）    …（２）
ＦＤ２＝Ｆ３−Ｆ２  （ＦＤ２＜Ｆ３）    …（３）
【００５３】
次いで、制御部１９０は、取得された動作状態情報ＡＴ２kに基づいて、装置９２０k（ｋ＝１〜Ｎ）の中から動作中の装置を特定する。こうして特定された装置を、以下、「装置９２０n」と呼ぶものとする。引き続き、制御部１９０は、装置９２０nに対応する利用周波数情報ＦＲ２nを読み出す。
【００５４】
次に、制御部１９０は、第１及び第２条件を満たす第１局部発振信号の周波数ＦＤ１のうちで、周波数ＦＤ１，ＦＤ２又はそれらの整数倍の周波数が、利用周波数情報ＦＲ２nで示されている周波数範囲に入らないという第３条件を満たすように、周波数ＦＤ１の範囲を更に絞り込む。そして、制御部１９０は、第１〜第３条件の全てを満たす範囲の中から、周波数ＦＤ１を決定する。
【００５５】
こうして周波数ＦＤ１が定まると、（１）式により、中心周波数Ｆ３が定まるとともに、（２）式又は（３）式により、周波数ＦＤ２が定まる。そして、中心周波数Ｆ３が定まると、ステップＳ１３において、制御部１９０は、第３周波数帯を含む周波数範囲を通過させるフィルタ特性を決定する。
【００５６】
次に、ステップＳ１４において、制御部１９０は、決定された周波数ＦＤ１を指定する第１段階変換周波数指定ＦＣ１を生成して第１段階変換部１１０における局部発振部１１５へ送るとともに、決定された周波数ＦＤ２を指定する第２段階変換周波数指定ＦＣ２を生成して第２段階変換部１２０における局部発振部１２５へ送る。また、制御部１９０は、決定されたフィルタ特性を指定するフィルタ制御指定ＦＬＣを生成して第１段階変換部１１０におけるフィルタ部１１４へ送る。
【００５７】
こうして、第１段階変換周波数指定ＦＣ１、第２段階変換周波数指定ＦＣ２及びフィルタ制御指定ＦＬＣの発行が終了すると、ステップＳ１５において、制御部１９０は、再度、装置９１０jからの動作状態情報ＡＴ１j及び装置９２０kからの動作状態情報ＡＴ２kを取得する。引き続き、ステップＳ１６において、制御部１９０が、新たに動作状態となった装置が存在するか否かを判定する。
【００５８】
ステップＳ１６における判定の結果が否定的であった場合（ステップＳ１６：Ｎ）には、処理はステップＳ１５へ戻る。そして、ステップＳ１６における判定の結果が肯定的となるまで、ステップＳ１５，Ｓ１６の処理が繰り返される。
【００５９】
新たに動作状態となった装置が存在し、ステップＳ１６における判定の結果が肯定的となると（ステップＳ１６：Ｙ）、処理はステップＳ１２へ戻る。以後、上述したステップＳ１２〜Ｓ１６の処理が繰り返される。
【００６０】
なお、例えば、周波数変換装置１００が、受信装置のチューナ内に配置される場合には、利用者により新たな選局指令が行われ、第１周波数帯が新たなものとなると、ステップＳ１１からの処理が、改めて開始されることになる。
【００６１】
以上のようにして行われる周波数変換動作の制御のもとで、周波数変換装置１００では、第１段階変換部１１０により、第１周波数帯の信号ＩＮＳが第３周波数帯の信号ＭＦＳに周波数変換される。そして、第２段階変換部１２０により、信号ＭＦＳが第２周波数帯の信号ＯＴＳに周波数変換される。この結果、信号ＩＮＳと信号ＯＴＳとの極性関係が、一定関係に維持されつつ、信号ＩＮＳから信号ＯＴＳへの周波数変換が行われる。
【００６２】
以上説明したように、本実施形態では、第１周波数帯の信号ＩＮＳを周波数変換して、第２周波数帯の信号ＯＴＳを生成するのに際して、第１及び第２段階変換部１１０，１２０による２段階の周波数変換を行う。ここで、第１段階変換部１１０では、乗算部１１３により、信号ＩＮＳと、第１局部発振信号との乗算を行った後、フィルタ部１１４により第３周波数帯の信号ＭＦＳを抽出する。そして、第２段階変換部１２０では、乗算部１２３により、信号ＭＦＳと、第２局部発振信号との乗算を行った後、フィルタ部１２４により第２周波数帯の信号であり、信号ＩＮＳとの極性関係が、一定関係に維持された信号ＯＴＳを抽出する。こうした第１及び第２段階周波数変換に際して、周辺の装置で利用する信号による悪影響を受けたり、かつ、周辺の装置の動作に対して悪影響を与えたりしないように、第１及び第２局部発振信号の周波数を決定する。
【００６３】
したがって、本実施形態によれば、他の装置の動作による悪影響を受けたり、他の装置の動作に対して悪影響を与えたりすることを防止することができるとともに、周波数変換の態様に対応した変更を要することなく、後段における信号処理を行うことができる。
【００６４】
また、本実施形態では、他の装置の利用周波数情報が登録された周波数テーブルＦＴＢを保持するとともに、他の装置のうちで動作中の装置についての利用周波数情報を考慮して、第１及び第２局部発振信号の周波数を決定する。このため、他の装置の動作による悪影響を受けたり、他の装置の動作に対して悪影響を与えたりすることを防止することができる第１及び第２局部発振信号の周波数を、非常に合理的に決定することができる。
【００６５】
［実施形態の変形］
本発明は、上記の実施形態に限定されるものではなく、様々な変形が可能である。
【００６６】
例えば、上記の実施形態では、他の装置の利用周波数情報が登録された周波数テーブルを保持するとともに、他の装置のうちで動作中の装置についての利用周波数情報を考慮して、第１及び第２局部発振信号の周波数を決定するようにした。これに対し、周波数テーブルに登録されている利用周波数情報の全てを考慮して、第１及び第２局部発振信号の周波数を決定するようにするとともに、新たな利用周波数情報が登録されるたびに、新たな第１及び第２局部発振信号の周波数を決定するようにしてもよい。この場合には、他の装置の動作状態を取得することが不要となる。
【００６７】
また、利用者により他の装置の動作を考慮して行われた操作入力部の操作の結果として、当該操作入力部から報告された第１及び第２局部発振信号の周波数の変更指定に応答して、第１及び第２局部発振信号の周波数を変更するようにしてもよい。この場合には、他の装置の動作状態の取得に加えて、周波数テーブルも不要となる。
【００６８】
また、上記の実施形態では、第１周波数帯が固定的であることを想定した。これに対し、第１周波数帯が可変である場合には、フィルタ部１１１を、通過周波数帯を変更することができる可変であるバンドパスフィルタとして構成し、制御部１９０が、第１周波数帯に対応する通過周波数帯を指定できる構成とすればよい。
【００６９】
また、上記の実施形態では、フィルタ部１１１を、バンドパスフィルタとして構成するようにしたが、イメージ周波数成分のみを減衰させるバンドエリミネーションフィルタとして構成するようにしてもよい。この場合には、制御部１９０が、次の（４）により定まる中心周波数ＦＩＭを指定できる構成とすればよい。
ＦＩＭ＝ＦＤ１−（Ｆ１−ＦＤ１）＝２・ＦＤ１−Ｆ１      …（４）
【００７０】
また、上記の実施形態では、フィルタ部１１４は、固定的に差周波成分を通過させるようにしたが、固定的に和周波成分を通過させるようにしてもよい。また、フィルタ部１２４では固定的に差周波成分を通過させるようにしたが、固定的に和周波成分を通過させるようにしてもよい。
【００７１】
また、上記の実施形態では、フィルタ部１１４は、通過させる信号の周波数帯が可変であるバンドパスフィルタとした。これに対し、第３周波数帯の変化範囲を予め制限しておき、この制限のもとで、第１及び第２局部発振信号の周波数を決定するとともに、第３周波数帯の変化範囲内の周波数を通過させるようにすることにより、フィルタ部１１４を、通過させる信号の周波数帯が固定されたバンドパスフィルタとしてもよい。
【００７２】
また、上記の実施形態の説明では、周波数変換装置１００が、受信装置のチューナ内に配置される場合を例示しつつ説明したが、本発明の周波数変換装置は、信号源からの音声等の信号を信号成分として含む放送信号を生成して発信する発信装置等にも適用することができる。
【００７３】
なお、上記の実施形態における制御部１９０を、中央処理装置（ＣＰＵ：Central Processor Unit）を備えるコンピュータシステムとして構成し、制御部１９０による周波数変換の制御を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図面の簡単な説明】
【００７４】
【図１】本発明の一実施形態に係る周波数変換装置に接続される装置を説明するための図である。
【図２】一実施形態に係る周波数変換装置の構成を概略的に示すブロック図である。
【図３】図２の第１段階変換部の構成を示すブロック図である。
【図４】図２の第２段階変換部の構成を示すブロック図である。
【図５】図２の周波数テーブルの内容を説明するための図である。
【図６】図２の装置による周波数変換動作の制御の処理を説明するためのフローチャートである。
【符号の説明】
【００７５】
１００      …  周波数変換装置
１１１      …  フィルタ部（第１フィルタリング手段）
１１３      …  乗算部（第１乗算手段）
１１４      …  フィルタ部（第２フィルタリング手段）
１１５      …  局部発振部（第１可変周波数信号発生手段）
１２３      …  乗算部（第２乗算手段）
１２４      …  フィルタ部（第３フィルタリング手段）
１２５      …  局部発振部（第２可変周波数信号発生手段）
１８０      …  記憶部（記憶手段）
１９０      …  制御部（制御手段及び取得手段）
【図１】
2010147972.tif 000003
【図２】
2010147972.tif 000004
【図３】
2010147972.tif 000005
【図４】
2010147972.tif 000006
【図５】
2010147972.tif 000007
【図６】
2010147972.tif 000008